(57)【要約】      （修正有）【課題】取り付けや折り畳みが容易であり、安定で信頼性が高く、安全性も高いトランポリン支持脚を提供する。【解決手段】トランポリン支持脚は、脚管１、ネジスリーブ２、固定部材３を備え、ネジスリーブは脚管の頂端に固定され、固定部材とネジスリーブがキャリッジボルト４によって接続され、固定部材は、ボトムプレート、バックプレート、２つのサイドプレート及びフロントプレートで構成されており、ボトムプレートに第１矩形孔が設けられ、フロントプレートに縦方向の第２矩形孔が設けられ、第１矩形孔と第２矩形孔は連通し且つ同じ孔径であり、キャリッジボルトの四角部は第１矩形孔又は第２矩形孔と係合し、キャリッジボルトの頭部は、バックプレート、サイドプレート及びフロントプレートで囲まれた空間と係合する。【選択図】図１ａ
0003232647.tif 000002
【実用新案登録請求の範囲】
【請求項１】
脚管、ネジスリーブ及び固定部材を備え、前記ネジスリーブが前記脚管の頂端に固定され、前記固定部材と前記ネジスリーブがキャリッジボルトによって接続され、前記固定部材は、ボトムプレート、バックプレート、２つのサイドプレート及びフロントプレートで構成されており、前記ボトムプレートに第１矩形孔が設けられ、前記フロントプレートに縦方向の第２矩形孔が設けられ、前記第１矩形孔と前記第２矩形孔は連通し且つ同じ孔径であり、前記キャリッジボルトの四角部は前記第１矩形孔又は前記第２矩形孔と係合し、前記キャリッジボルトの頭部は、前記バックプレート、前記サイドプレート及び前記フロントプレートで囲まれた空間と係合することを特徴とするトランポリン支持脚。
【請求項２】
前記フロントプレートの高さが、前記サイドプレート及び前記バックプレートの高さよりも低いことを特徴とする請求項１に記載のトランポリン支持脚。
【請求項３】
前記サイドプレート、前記フロントプレート及び前記バックプレートが一体成形構造であることを特徴とする請求項１又は２に記載のトランポリン支持脚。
【請求項４】
前記脚管の底部にクッション材が取り付けられていることを特徴とする請求項１に記載のトランポリン支持脚。
【請求項５】
請求項１〜４のいずれか１項に記載のトランポリン支持脚を備えることを特徴とするトランポリン。
【考案の詳細な説明】
【技術分野】
【０００１】
本考案は、トランポリン支持脚及びトランポリンに関するものである。
【背景技術】
【０００２】
従来の家庭用トランポリンは、使用時に支持脚でトランポリン本体を支持し、使用後収納するときには支持脚を折り畳む必要がある。従来のトランポリンのほとんどは、トランポリン本体にナットが溶接され、支持脚の脚管にねじが加工され、螺合により接続され、折り畳んで収納するときには脚管を取り外さなければならない。このような方法は、収納が不十分な場合、脚管の紛失が生じやすく、その後の使用に不便をもたらす。また、ヒンジによる接続もあるが、このような方法は、通常の使用において不安定で揺れやすく、危険である。
【考案の開示】
【考案が解決しようとする課題】
【０００３】
上記技術的問題を解決するために、本考案は、折り畳みや収納が容易で、接続が強固で、使用が安全である、トランポリン支持脚及びトランポリンを提供することを目的とする。
【課題を解決するための手段】
【０００４】
上記目的を達成するための本考案の技術的手段は以下の通りである。
【０００５】
トランポリン支持脚は、脚管、ネジスリーブ及び固定部材を備え、前記ネジスリーブが脚管の頂端に固定され、前記固定部材とネジスリーブがキャリッジボルトによって接続され、前記固定部材は、ボトムプレート、バックプレート、２つのサイドプレート及びフロントプレートで構成されており、前記ボトムプレートに第１矩形孔が設けられ、前記フロントプレートに縦方向の第２矩形孔が設けられ、前記第１矩形孔と第２矩形孔は連通し且つ同じ孔径であり、前記キャリッジボルトの四角部は第１矩形孔又は第２矩形孔と係合し、前記キャリッジボルトの頭部は、バックプレート、サイドプレート及びフロントプレートで囲まれた空間と係合する。
【０００６】
前記技術的手段において、前記フロントプレートの高さはサイドプレート及びバックプレートの高さよりも低くなっている。
【０００７】
さらに、前記技術的手段において、前記サイドプレート、フロントプレート及びバックプレートは一体成形構造である。
【０００８】
前記技術的手段において、前記脚管の底部にクッション材が取り付けられている。
【０００９】
トランポリンは、前記トランポリン支持脚を備える。
【考案の効果】
【００１０】
上記技術的手段によれば、本考案によるトランポリン支持脚は、固定部材に第１矩形孔及び第２矩形孔を設けることにより、脚管が垂直状態又は水平状態になることを可能にし、折り畳みが容易になり、キャリッジボルトの四角部を第１矩形孔又は第２矩形孔と係合することにより、脚管を回転するときは、キャリッジボルトが固定されて、脚管とともに回転することはなく、操作が簡単で容易であるとともに、支持するときは、キャリッジボルトが位置規制されて、勝手に揺れることはなく、強固に支持でき、安全で信頼できる。
【００１１】
本考案の実施例又は従来技術における技術的手段をより明確に説明するために、以下では、実施例又は従来技術の説明に使用される図面について簡単に説明する。
【図面の簡単な説明】
【００１２】
【図１ａ】本考案の実施例に係るトランポリン支持脚の斜視図である。
【図１ｂ】本考案の実施例に係るトランポリン支持脚の分解図である。
【図２ａ】本考案の実施例に係る固定部材の斜視図１である。
【図２ｂ】本考案の実施例に係る固定部材の斜視図２である。
【図３】本考案の実施例に係るキャリッジボルトの構造図である。
【図４ａ】本考案の実施例に係る固定部材とキャリッジボルトとの係合を示す図（垂直状態）である。
【図４ｂ】本考案の実施例に係る固定部材とキャリッジボルトとの係合を示す上面図である。
【図４ｃ】本考案の実施例に係る固定部材とキャリッジボルトとの係合を示す平面図（水平状態）である。
【図５ａ】脚管の回転過程を示す図１（初期状態）である。
【図５ｂ】脚管の回転過程を示す図２（緩んだ状態）である。
【図５ｃ】脚管の回転過程を示す図３（回転状態）である。
【図５ｄ】脚管の回転過程を示す図４（回転後の固定されていない状態）である。
【図５ｅ】脚管の回転過程を示す図５（回転後の固定状態）である。
【図６ａ】トランポリン支持脚とトランポリン本体の枠体との接続関係を示す図である。
【図６ｂ】図６ａの拡大概略図である。
【図７】本考案の実施例に係るトランポリンを示す図である。
【図８ａ】トランポリン支持脚の折り畳み過程を示す図１である。
【図８ｂ】トランポリン支持脚の折り畳み過程を示す図２である。
【図８ｃ】トランポリン支持脚の折り畳み過程を示す図３である。
【図８ｄ】トランポリン支持脚の折り畳み過程を示す図４である。
【考案を実施するための形態】
【００１３】
以下、本考案の実施例における図面を参照しながら、本考案の実施例における技術的手段を明確且つ完全に説明する。
【００１４】
本考案は、トランポリン６の支持脚を提供し、図１ａ及び図１ｂに示されるように、脚管１、ネジスリーブ２及び固定部材３を備え、ネジスリーブ２は、溶接又は挿着により脚管１の頂端に固定され、固定部材３とネジスリーブ２はキャリッジボルト４によって接続される。脚管１の底部にはクッション材５が取り付けられている。
【００１５】
図２ａ及び図２ｂに示されるように、固定部材３は、ボトムプレート３１、バックプレート３２、２つのサイドプレート３３、及びフロントプレート３４で構成されており、ボトムプレート３１に第１矩形孔３５が設けられ、フロントプレート３４に縦方向の第２矩形孔３６が設けられ、第１矩形孔３５と第２矩形孔３６が連通し且つ同じ孔径である。
【００１６】
図３に示すようなキャリッジボルト４は、一体化された頭部４１、四角部４２、及び軸部４３を含み、四角部４２は、第１矩形孔３５又は第２矩形孔２３６と係合し、キャリッジボルト４の頭部４１は、バックプレート３２、サイドプレート３３、及びフロントプレート３４で囲まれた空間と係合する。
【００１７】
図４ａに示すように、脚管１が垂直状態にあるとき、キャリッジボルト４の四角部４２が第１矩形孔３５と係合し、第１矩形孔３５によって位置規制され、脚管１を回すとき、キャリッジボルト４が一緒に回転することがない。脚管１を回すと、ネジスリーブ２によって脚管１を固定することができる。また、図４ｂに示すように、バックプレート３２、サイドプレート３３、及びフロントプレート３４で囲まれた空間がキャリッジボルト４の頭部４１を位置規制するので、キャリッジボルト４が固定部材３内で前後左右に移動するのを防止する。
【００１８】
脚管１の回転過程は図５ａから図５ｅに示すように、折り畳む必要がある場合、脚管１を反対方向に回し、キャリッジボルト４が緩み、脚管１によってキャリッジボルト４が第２矩形孔３６内で回転し、水平状態になるまで回転すると、キャリッジボルト４の四角部４２が第２矩形孔３６と係合し、図４ｃに示すように、第２矩形孔３６に位置規制され、その後、脚管１を回すと、脚管１の折り畳み後の固定が実現される。
【００１９】
本実施例において、サイドプレート３３、フロントプレート３４、及びボトムプレート３１は一体成形構造である。フロントプレート３４の高さはサイドプレート３３及びバックプレート３２の高さよりも低く、図６ａ及び図６ｂに示すように、固定部材３のバックプレート３２とサイドプレート３３がトランポリン６の枠体６１に溶接により固定された後、フロントプレート３４の高さが低いので、ここに予備開口７が形成され、キャリッジボルト４を該予備開口７から固定部材３内に入れて組み立てることができる。
【００２０】
図７に示すように、本考案は、前記トランポリン６の支持脚を備えるトランポリン６をさらに開示した。本考案のトランポリン６の支持脚は、図７に示す八角形状のトランポリン６に限らず、任意の形状のトランポリン６に適用可能である。トランポリン６の支持脚の折り畳み過程は図８ａから図８ｄに示すように、図８ａに示す状態で、脚管１を回すと、脚管１を固定部材３に締結固定したり、固定部材から緩めたりすることができ、脚管１が固定部材３からある程度緩むと、図８ｂに示すように、脚管を固定部材３の他側に回転することができ、脚管１を回転し続けると、図８ｃに示すように、脚管１を倒すことができ、再び脚管１を締めると、図８ｄに示すように、脚管１を揺れることなく固定することができる。
【００２１】
開示された実施例の上記説明は、当業者が本考案を実現又は使用することを可能にする。これらの実施例に対する様々な修正は当業者にとって自明であり、本明細書で定義された一般的な原理は、本考案の精神又は範囲から逸脱することなく他の実施例で実施することができる。したがって、本考案は、本明細書に開示されたこれらの実施例に限定されるものではなく、本明細書に開示された原理及び新規性に一致する最も広い範囲を含むべきである。
【符号の説明】
【００２２】
１、脚管
２、ネジスリーブ
３、固定部材
４、キャリッジボルト
５、クッション材
３１、ボトムプレート
３２、バックプレート
３３、サイドプレート
３４、フロントプレート
３５、第１矩形孔
３６、第２矩形孔
４１、頭部
４２、四角部
４３、軸部
６、トランポリン
６１、枠体
７、開口
【図１ａ】
0003232647.tif 000003
【図１ｂ】
0003232647.tif 000004
【図２ａ】
0003232647.tif 000005
【図２ｂ】
0003232647.tif 000006
【図３】
0003232647.tif 000007
【図４ａ】
0003232647.tif 000008
【図４ｂ】
0003232647.tif 000009
【図４ｃ】
0003232647.tif 000010
【図５ａ】
0003232647.tif 000011
【図５ｂ】
0003232647.tif 000012
【図５ｃ】
0003232647.tif 000013
【図５ｄ】
0003232647.tif 000014
【図５ｅ】
0003232647.tif 000015
【図６ａ】
0003232647.tif 000016
【図６ｂ】
0003232647.tif 000017
【図７】
0003232647.tif 000018
【図８ａ】
0003232647.tif 000019
【図８ｂ】
0003232647.tif 000020
【図８ｃ】
0003232647.tif 000021
【図８ｄ】
0003232647.tif 000022